(57)【要約】【課題】発泡合成樹脂の漏出を抑制できるとともに、橋渡部を備えるステーであってもスムーズに挿入可能なヘッドレスト用表皮及びヘッドレストを提供する。【解決手段】ヘッドレスト１０の表皮１３は、底部を構成する底部表皮材１５，１６及び底部の一部を構成するとともに、上面部を構成する上面部表皮材１７等の表皮材が端縁において縫い合わされることで形成される。表皮１３の底部の中央部には、底部表皮材１５，１６間においてスリット状の注入口１９が形成されており、この注入口１９を介して発泡合成樹脂が表皮１３内に注入される。表皮１３の底部には、注入口１９に対する挿通孔２０とは反対側にスリット状の挿入口２１が形成されており、ステー１２はこの挿入口２１から表皮１３内に挿入される。【選択図】      図１
2005014838.tif 000002
【特許請求の範囲】
【請求項１】
ヘッドレストステーの脚部が外方へ突出可能な一対の挿通孔と、発泡合成樹脂を注入する際に使用されるスリット状の注入口とが底部に形成されたヘッドレスト用表皮において、
前記底部には、前記注入口を介した前記挿通孔の反対側において、前記ヘッドレストステーを挿入するためのスリット状の挿入口が形成されていることを特徴とするヘッドレスト用表皮。
【請求項２】
前記挿入口は、前記一対の挿通孔の配列方向と平行に延びるように形成されていることを特徴とする請求項１に記載のヘッドレスト用表皮。
【請求項３】
前記挿入口を形成する前記底部の第１の端縁部及び第２の端縁部は、突き合わせ状態で内方に折り曲げられていることを特徴とする請求項１又は請求項２に記載のヘッドレスト用表皮。
【請求項４】
前記挿入口を形成する前記底部の第１の端縁部及び第２の端縁部は重ね合わされていることを特徴とする請求項１又は請求項２に記載のヘッドレスト用表皮。
【請求項５】
前記第１の端縁部及び第２の端縁部のうち少なくとも一方は、内側に折り返されていることを特徴とする請求項４に記載のヘッドレスト。
【請求項６】
請求項１〜請求項５のいずれか一項に記載のヘッドレスト用表皮内にヘッドレストステーが挿入されており、該ヘッドレストステーが備える脚部が前記挿通孔から外方へ突出しているとともに、そのヘッドレスト用表皮内に発泡合成樹脂が充填されていることを特徴とするヘッドレスト。
【発明の詳細な説明】
【０００１】
【発明の属する技術分野】
本発明は、例えば車両の座席に取り付けられるヘッドレスト用の表皮及びヘッドレストに関する。
【０００２】
【従来の技術】
従来、この種のヘッドレストは、発泡合成樹脂が充填されるヘッドレスト用表皮（以下、単に表皮という）と、金属棒材よりなり、表皮内に挿入されるヘッドレストステー（以下、単にステーという）とを備えている。図５に示すように、ステー３１は、一筆書形状をなし、２本の脚部３１ａと、その脚部３１ａを一体に連結する連結部３１ｂとで構成されている。このため、ステー３１を表皮３０内に挿入するには、一方の脚部３１ａを表皮３０に形成された一対の挿通孔３２の一方に挿通し、その脚部３１ａを他方の挿通孔３２から突出させる。このようにすれば、図５に二点鎖線で示すように、ステー３１の両脚部３１ａが挿通孔３２から外方へ突出するとともに、連結部３１ｂが表皮３０内に配置された状態となる。そして、この状態の表皮３０内に注入口３３から発泡合成樹脂が注入されて表皮３０が所定の形状に形成され、ヘッドレストが完成する。
【０００３】
ところで、図６に示すように、ステー３１の変形を抑制してヘッドレストの強度向上等を達成するために、脚部３４ａの基端部の間を繋ぐ橋渡部３４ｃが設けられたステー３４が知られている。このようなステー３４を上記の方法により図５に示す表皮３０内に挿入しようとしても、橋渡部３４ｃが挿通孔３２に引っ掛かるため、表皮３０内にステー３４を挿入することができない。
【０００４】
このため、橋渡部３４ｃを備えるステー３４であっても挿入可能な表皮として、図６に示すように、２つの挿通孔３５，３５間にスリット状の挿入口３６が形成されたものがある（例えば、特許文献１参照）。この表皮３７では、橋渡部３４ｃを備えるステー３４であっても、連結部３４ｂを挿入口３６から表皮３７内に挿入し、脚部３４ａを挿通孔３５から突出させることができる。
【０００５】
また、橋渡部３４ｃを備えるステー３４を挿入する他の方法として、図７に示すように、発泡合成樹脂を注入する注入口３８から脚部３４ａを同時に挿入して挿通孔３９から突出させる方法も知られている。
【０００６】
【特許文献１】
特開平９−２７６０７３号公報（明細書の段落［０００３］、第１２図）
【０００７】
【発明が解決しようとする課題】
ところが、特許文献１に記載の方法では、挿通孔３５，３５間に挿入口３６が形成されているため、表皮３７内に注入された発泡合成樹脂の発泡時の圧力によってその挿入口３６が拡がり易い。従って、発泡合成樹脂が挿入口３６から漏出し易く、発泡合成樹脂に対するシール性が十分ではなかった。
【０００８】
また、図７に示す方法の場合、一般的に、注入口３８は表皮４０の底部中央に形成されており、挿通孔３９と注入口３８との間の距離が近い。このため、連結部３４ｂを表皮４０内に収容するには、挿通孔３９からの脚部３４ａの突出長さを多くする必要がある。ところが、ステー３４は橋渡部３４ｃを備えているため、同橋渡部３４ｃが表皮４０の挿通孔３９，３９間の部分に引っ掛かり、挿通孔３９からの脚部３４ａの突出長さを確保できない。このため、図８に示すように、連結部３４ｂが注入口３８において規制され、連結部３４ｂを表皮４０内に収容することが困難であった。また、このような状態で作業を続けると、注入口３８が無理に拡げられて注入口３８の両端部を破損するおそれがあった。
【０００９】
本発明は、上記問題点に着目してなされたものであって、その目的は、発泡合成樹脂の漏出を抑制できるとともに、橋渡部を備えるステーであってもスムーズに挿入可能なヘッドレスト用表皮及びヘッドレストを提供することにある。
【００１０】
【課題を解決するための手段】
上記問題点を解決するために、請求項１に記載の発明は、ヘッドレストステーの脚部が外方へ突出可能な一対の挿通孔と、発泡合成樹脂を注入する際に使用されるスリット状の注入口とが底部に形成されたヘッドレスト用表皮において、前記底部には、前記注入口を介した前記挿通孔の反対側において、前記ヘッドレストステーを挿入するためのスリット状の挿入口が形成されていることを要旨とする。
【００１１】
この発明によれば、ヘッドレストステーの脚部を挿通する挿通孔と、ヘッドレストステーを挿入するための挿入口との間の距離を大きく確保することができる。このため、たとえ橋渡部を備えるヘッドレストステーであっても、表皮内に挿入して、脚部を挿通孔から突出させることがスムーズに可能となる。また、注入口の破損のおそれがなくなる。さらに、２つの挿通孔の間にスリット状の挿入口が設けられた従来技術と異なり、発泡合成樹脂に対するシール性を失うことなく発泡合成樹脂の漏出を抑制することができる。
【００１２】
請求項２に記載の発明は、請求項１に記載のヘッドレスト用表皮において、前記挿入口は、前記一対の挿通孔の配列方向と平行に延びるように形成されていることを要旨とする。
【００１３】
この発明によれば、ヘッドレストステーを脚部側から挿入し、そのままの状態で容易に脚部を挿通孔に挿通することができるため、ヘッドレストステーの挿入が容易となる。
【００１４】
請求項３に記載の発明は、請求項１又は請求項２に記載のヘッドレスト用表皮において、前記挿入口を形成する前記底部の第１の端縁部及び第２の端縁部は、突き合わせ状態で内方に折り曲げられていることを要旨とする。
【００１５】
この発明によれば、挿入口を形成する第１及び第２の端縁部が内方に突き合わせ状態で折り曲げられているため、表皮内の発泡合成樹脂の発泡圧が第１及び第２の端縁部の間を閉じる方向に作用する。このため、発泡合成樹脂に対するシール性をより高めることができる。
【００１６】
請求項４に記載の発明は、請求項１又は請求項２に記載のヘッドレスト用表皮において、前記挿入口を形成する前記底部の第１の端縁部及び第２の端縁部は重ね合わされていることを要旨とする。
【００１７】
この発明によれば、第１の端縁部と第２の端縁部とが重なり合っているため、注入される発泡合成樹脂の発泡圧により下側にある一方の端縁部が他方の端縁部側に押されて密着させられる。このため、発泡合成樹脂に対するシール性をより高めることができる。
【００１８】
請求項５に記載の発明は、請求項４に記載のヘッドレストにおいて、前記第１の端縁部及び第２の端縁部のうち少なくとも一方は、内側に折り返されていることを要旨とする。
【００１９】
この発明によれば、第１の端縁部及び第２の端縁部のうち少なくとも一方が内側に折り返されているため、その折り返された端縁部の剛性を向上させて、さらにシール性を高めることができる。
【００２０】
請求項６に記載の発明は、請求項１〜請求項５のいずれか一項に記載のヘッドレスト用表皮内にヘッドレストステーが挿入されており、該ヘッドレストステーが備える脚部が前記挿通孔から外方へ突出しているとともに、そのヘッドレスト用表皮内に発泡合成樹脂が充填されていることを特徴とすることを要旨とする。
【００２１】
この発明によれば、請求項１〜請求項５に記載のヘッドレスト用表皮が用いられており、請求項１〜請求項５と同様の効果を得ることができる。
【００２２】
【発明の実施の形態】
以下、本発明を具体化した一実施形態を図１〜図３を参照にして説明する。
図１及び図２に示すように、ヘッドレスト１０は、底部が凹状に湾曲した形状のヘッドレスト本体１１と、ヘッドレスト本体１１の底部から脚部１２ａが突出するヘッドレストステー１２（以下、ステー１２という）とで構成されている。ヘッドレスト本体１１は、ヘッドレスト用表皮１３（以下、表皮１３という）及び表皮１３内に充填された発泡合成樹脂１４とで構成されている。本実施形態におけるヘッドレスト１０は、袋状に形成された表皮１３にステー１２がセットされた後、表皮１３内に発泡合成樹脂１４が注入されることで得られる一体成形タイプのヘッドレストである。
【００２３】
表皮１３は、底部１３ａを構成する底部表皮材１５，１６、底部１３ａの一部を構成するとともに上面部１３ｂを構成する上面部表皮材１７、及び両側端面を構成する２枚の両側表皮材１８がそれぞれ端縁において縫い合わされることで形成されている。表皮１３の底部１３ａの中央部には、底部表皮材１５，１６間においてスリット状の注入口１９が形成されており、この注入口１９を介して発泡合成樹脂１４が表皮１３内に注入される。なお、注入口１９は、底部表皮材１５，１６間において縫い合わされずに形成されており、その幅は図１に示す幅Ｌで形成されている。また、底部表皮材１５には、２つの挿通孔２０が形成されており、この挿通孔２０にステー１２の２本の脚部１２ａが表皮１３内部から外方へ突出するように挿通されている。
【００２４】
ステー１２の２本の脚部１２ａ間には、連結部１２ｂ（図３も参照）が形成されるとともに、脚部１２ａの基端部間には橋渡部１２ｃが一体形成されている。この橋渡部１２ｃは、ヘッドレスト本体１１の強度向上等のために設けられている。ステー１２は、連結部１２ｂ及び橋渡部１２ｃにおいて表皮１３内の発泡合成樹脂１４により固定されている。
【００２５】
表皮１３の底部１３ａには、注入口１９を介して挿通孔２０側と反対側においてスリット状の挿入口２１が形成されている。挿入口２１は、底部表皮材１６の第１の端縁部２２と上面部表皮材１７の第２の端縁部２３との間に形成されており、一対の挿通孔２０の配列方向と平行に、かつ表皮１３の一端から他端まで延びる直線状に形成されている。挿入口２１を形成する第１及び第２の端縁部２２，２３は、表皮１３の内方側に突き合わせ状態で折り曲げられている。なお、挿入口２１が形成される位置は、注入口１９を介して挿通孔２０の反対側であれば特に限定されないが、ステー１２の挿入し易さを考慮して、なるべく挿通孔２０から離れた位置に形成することが望ましい。
【００２６】
ステー１２は挿入口２１から図３に示すように表皮１３内に挿入されて脚部１２ａが挿通孔２０から突出し、その後、注入口１９から発泡合成樹脂１４が注入されることでステー１２が発泡合成樹脂１４により表皮１３内に固定される。
【００２７】
上記実施形態によれば、以下に示す効果を得ることができる。
（１）表皮１３の底部１３ａには、注入口１９を介して挿通孔２０と反対側においてスリット状の挿入口２１が形成されている。このため、ステー１２の脚部１２ａが挿通される挿通孔２０と、ステー１２を表皮１３内に挿入するための挿入口２１との間の距離を大きく確保することができる。このため、たとえ橋渡部１２ｃを備えるステー１２であっても、表皮１３内に挿入して、脚部１２ａを挿通孔２０から突出させることがスムーズに可能となる。また、注入口１９の両端部における破損のおそれがなくなる。さらに、２つの挿通孔２０の間にスリット状の挿入口２１が設けられた従来技術と異なり、発泡合成樹脂に対するシール性を失うことなく発泡合成樹脂の漏出を抑制することができる。
【００２８】
（２）底部表皮材１６及び上面部表皮材１７の第１及び第２の端縁部２２，２３が突き合わせ状態で折り曲げられている。このため、図２に示すように、注入された発泡合成樹脂１４の発泡圧力Ｐが第１及び第２の端縁部２２，２３を閉じさせるように作用し、挿入口２１から発泡合成樹脂が漏れ出すことを抑止し、よりシール性を高めることができる。
【００２９】
（３）挿入口２１が一対の挿通孔２０の配列方向と平行に形成されている。このため、ステー１２を脚部１２ａ側から挿入口２１に挿入し、そのままの状態で容易に脚部１２ａを挿通孔２０に挿通することができ、ステー１２の挿入が容易となる。
【００３０】
（４）表皮１３の部品点数は、従来と何ら変わりない。しかも、挿入口２１を閉じるための縫製が不要であるため、挿入口２１を設けたとしてもヘッドレストの製造が容易である。
【００３１】
なお、上記実施形態は以下のように変更してもよい。
○  上記実施形態では、第１及び第２の端縁部２２，２３が突き合わせ状態で折り曲げられていたが、図４（ａ）に示すように、第１の端縁部２２の下側に第２の端縁部２３が入り込んで重なり合う構成であってもよく、その逆でもよい。この場合、発泡合成樹脂１４が注入された際、第２の端縁部２３が発泡合成樹脂１４の発泡圧力Ｐにより第１の端縁部２２に密着するため、シール性がより向上される。また、図４（ｂ）に示すように、第１の端縁部２２が折り返され、その折り返された第１の端縁部２２の下側に第２の端縁部２３が入り込んだ構成であってもよく、その逆でもよい。また、第１及び第２の端縁部２２，２３が共に折り返されて重なり合っている構成であってもよい。これらの構成においては、その折り返された部分により挿入口２１の剛性が向上するため、シール性を向上させることができる。
【００３２】
○  挿入口２１の形状は、直線状に限らず、湾曲状に形成されてもよく、挿入口２１の形状については特に限定されない。
○  挿入口２１は、表皮１３の一端から他端まで延びるように形成されていたが、ステー１２が挿入可能であるならば特に挿入口２１の幅については限定されない。
【００３３】
【発明の効果】
以上詳述したように、本発明によれば、注入される発泡合成樹脂に対してのシール性を維持しつつ、ヘッドレストの製造に際して橋渡部を備えるステーであってもスムーズに挿入することができるという効果を有する。
【図面の簡単な説明】
【図１】一実施形態のヘッドレストの斜視図。
【図２】図１の２−２線におけるヘッドレストの断面図。
【図３】表皮内へのステーの挿入を示す説明図。
【図４】（ａ）及び（ｂ）は別の実施形態におけるヘッドレストの要部拡大断面図。
【図５】従来における表皮内へのステーの挿入を示す説明図。
【図６】従来における表皮内へのステーの挿入を示す説明図。
【図７】従来における表皮内へのステーの挿入を示す説明図。
【図８】従来における表皮内へのステーの挿入を示す説明図。
【符号の説明】
１０…ヘッドレスト、１２…ヘッドレストステー（ステー）、１２ａ…脚部、１３…ヘッドレスト用表皮（表皮）、１３ａ…底部、１４…発泡合成樹脂、１９…注入口、２０…挿通孔、２１…挿入口、２２…第１の端縁部、２３…第２の端縁部。
【図１】
2005014838.tif 000003
【図２】
2005014838.tif 000004
【図３】
2005014838.tif 000005
【図４】
2005014838.tif 000006
【図５】
2005014838.tif 000007
【図６】
2005014838.tif 000008
【図７】
2005014838.tif 000009
【図８】
2005014838.tif 000010